(57)【要約】【課題】フィルター部材を備えたエレメントを１タッチで着脱できる。【解決手段】油圧フィルター１は、作動油の入口２ａと出口２ｂを備えたハウジング２に、油をろ過するフィルター部材１３を備えたエレメント３を嵌入する。ハウジング２ではアダプタ９を螺合等によってハウジング本体７に固定し、アダプタ９の外周面には凹陥部１１を形成した。エレメント３はアダプタ９を嵌合する凹部１４とその外周部１６をそれぞれ形成した。エレメント３の外周面に沿って進退可能なロックリング４を設け、外周部１６に鋼球１８を進退可能に収容する傾斜穴を設けた。ロックリング４は、進出位置で突部４ａによって鋼球１８を傾斜穴と凹陥部１１に押し込んでエレメント３をハウジング２に装着固定し、後退位置で傾斜穴によって鋼球１８を凹陥部１１から外してエレメント３を取り外す。【選択図】図３
2016089915.tif 000002
【特許請求の範囲】
【請求項１】
油圧流路の入口と出口を備えていて第一着脱部を備えたハウジングと、
前記ハウジング内の油圧流路に収納して油をろ過するフィルター部材と前記第一着脱部に装着及び離脱可能な第二着脱部とを設けたエレメントとを備え、
前記ハウジングにエレメントを押し込むことで第一着脱部と第二着脱部で装着させ、前記ハウジングからエレメントを引き出すことで第一着脱部と第二着脱部を離脱させることを特徴とする油圧フィルター。
【請求項２】
前記ハウジングの挿入口には、前記エレメントの挿入をガイドするテーパ部を設けた請求項１に記載された油圧フィルター。
【請求項３】
前記ハウジングの第一着脱部はハウジング本体に装着したアダプタに設けられ、前記アダプタはハウジング本体に雄ねじと雌ねじで固定されている請求項１または２に記載された油圧フィルター。
【請求項４】
前記第一着脱部は、前記ハウジングに設けた凹陥部であり、
前記第二着脱部は、前記エレメント内に進退可能に設けた鋼球と、前記エレメントの外周面に沿って進退可能に設けられていて進出位置で鋼球を凹陥部内に押圧する共に後退位置で鋼球を押圧しないロックリングと、前記ロックリングを前記進出位置に付勢する弾性部材と、を備えている請求項１から３のいずれか１項に記載された油圧フィルター。
【発明の詳細な説明】
【技術分野】
【０００１】
この発明は、油圧機器等に使用される油に含まれるごみ等の不純物をろ過する油圧フィルターに関する。
【背景技術】
【０００２】
従来、油圧機器等に使用される油圧フィルターとしてのインラインフィルターは、油のごみ等の不純物を除去するフィルター部材を備えたエレメントと、油の入口と出口を有する油圧流路を備えていてエレメントのフィルター部材で油の不純物をろ過するハウジングとを備えている。インラインフィルターでは定期的にエレメントの清掃やフィルター部材の交換等の整備作業が必要である。
【０００３】
このようなインラインフィルターとして、例えば特許文献１に記載されたものが提案されている。
このインラインフィルターは、筒状のハウジング内にフィルター部材を装着してその底部をハウジング底部にボルト止めし、フィルター部材の底部に対向する開口をハウジングの開口に装着した蓋部材に嵌合させている。フィルター部材と蓋部材とでエレメントを構成する。ハウジングの側面にはその周方向に沿って複数の油の入口通路が形成されており、フィルター部材とハウジングの側面との間にはろ過前の油が入口通路から流入する環状通路が形成されている。そして、フィルター部材を通過してろ過された油はフィルター部材の開口から蓋部材に形成された出口通路を通して排出され、再利用される。また、蓋部材はボルトによってハウジングに固定されている。
【０００４】
また、他の形態のインラインタイプの油圧フィルターでは、エレメントのフィルター部材を取り付けた蓋部材とフィルター部材を収納するハウジングとにそれぞれフランジを設けて、両フランジ同士をボルトとナットで連結することで固定する構成を備えている。
【先行技術文献】
【特許文献】
【０００５】
【特許文献１】特開２０００−２０５２０８号公報
【発明の概要】
【発明が解決しようとする課題】
【０００６】
ところで、上述したようなインラインフィルターや油圧フィルターを掃除したりフィルター部材を交換したりする場合には、蓋部材やフランジに固定したボルトを取り外さなければならなかった。特に特許文献１記載のインラインフィルターでは、更にフィルター部材を取り外すためにハウジング底部のボルトを取り外さなければならなかった。そして、掃除終了後やフィルター部材の交換後においても、先に取り外した複数のボルトを締め込んで蓋やフィルター部材をハウジングに固定する必要があり、取り外しと組立の作業が煩雑で面倒であった。
【０００７】
本発明は、このような課題に鑑みてなされたものであり、フィルター部材を備えたエレメントを簡単に着脱できるようにした油圧フィルターを提供することを目的とする。
【課題を解決するための手段】
【０００８】
本発明に係る油圧フィルターは、油圧流路の入口と出口を備えていて第一着脱部を備えたハウジングと、ハウジング内の油圧流路に収納して油をろ過するフィルター部材と第一着脱部に装着及び離脱可能な第二着脱部とを設けたエレメントを備え、ハウジングにエレメントを押し込むことで第一着脱部と第二着脱部で装着させ、ハウジングからエレメントを引き出すことで第一着脱部と第二着脱部を離脱させることを特徴とする。
本発明によれば、油圧フィルターを取り外す際には、エレメントの蓋部に手をかけて引き出せばハウジングの第一着脱部とエレメントの第二着脱部が離脱するので、エレメントの蓋部とフィルター部材を引き出すことでハウジングから簡単に引き抜くことができる。また、エレメントをハウジングに装着する場合にも、エレメントをハウジング内に押し込むことで第一着脱部と第二着脱部が嵌合してエレメントをハウジングに固定できる。
【０００９】
また、ハウジングの挿入口に、エレメントの挿入をガイドするテーパ部を設けていてもよい。
ハウジングの挿入口にテーパ部を設けたことで、エレメントの挿入がガイドされるためエレメントの挿入が容易になる。
【００１０】
また、ハウジングの第一着脱部はハウジング本体に装着したアダプタに設けられ、アダプタはハウジング本体に雄ねじと雌ねじで固定されていてもよい。
第一着脱部を設けたアダプタをハウジング本体に螺合させて固定し、ハウジングを構成することで、アダプタを設けない既存のハウジングにも取り付け可能である。そして、第二装着部を設けたエレメントを装着することで、既存の油圧フィルターのハウジングに本発明を適用できる。
【００１１】
また、第一着脱部はハウジングに設けた凹陥部であり、第二着脱部は、エレメント内に進退可能に設けた鋼球と、エレメントの外周面に沿って進退可能に設けられていて進出位置で鋼球を凹陥部内に押圧する共に後退位置で鋼球を押圧しないロックリングと、ロックリングを進出位置に付勢する弾性部材と、を備えていることが好ましい。
本発明によれば、ハウジングにエレメントを押し込み、エレメントのロックリングをハウジング方向に進出させると、エレメントの鋼球が押されてハウジングの凹陥部内に落ち込み、弾性部材によってロックリングが鋼球を凹陥部内に押圧する状態を保持する。これによってハウジングとエレメントは嵌合状態で鋼球の一部が凹陥部に落ち込むことで一体に固定保持される。
そして、エレメントをハウジングから引き出すには、エレメントのロックリングを後退位置に摺動させて鋼球を押圧しない位置に移動させ、そしてエレメントをハウジングから引き抜くことで鋼球は凹陥部の側壁で押されて凹陥部からエレメント内に戻り、ハウジングとの固定状態を外れてエレメントを引き抜くことができる。そのため、ロックリングのスライドとエレメントの挿脱によって１タッチで簡単にハウジングに対してエレメントを着脱できる。
【発明の効果】
【００１２】
本発明に係る油圧フィルターは、装着する際にはハウジングの第一着脱部にエレメントの第二着脱部を押し込むことで装着状態に係合でき、分離する際にはエレメントの蓋部をハウジングから引き出すことで第一着脱部と第二着脱部を離脱させることができるので、ボルト等を用いることなく簡単にエレメントとハウジングの着脱を行えて操作が容易である。
【図面の簡単な説明】
【００１３】
【図１】本発明の実施形態による油圧フィルターの正面図である。
【図２】図１に示す油圧フィルターの平面図である。
【図３】図２に示す油圧フィルターの装着状態を示すＡ−Ａ線中央縦断面図である。
【図４】油圧フィルターのエレメント離脱状態を示す図３と同様な中央断面図である。
【図５】図２に示す油圧フィルターの装着状態を示すＢ−Ｂ線部分縦断面図である。
【発明を実施するための形態】
【００１４】
以下、本発明の一実施形態による油圧フィルター１について図１乃至図５に基づいて説明する。
図１及び図２に示す油圧フィルター１は、ハウジング２にエレメント３を嵌合させて固定したものである。ハウジング２はその一方の側面にごみ等の不純物等を含んだ汚れた作動油の入口２ａが形成され、対向する他方の側面にはハウジング２内でろ過された清浄な作動油を排出する出口２ｂが形成されている。エレメント３の外周面には円環状のロックリング４が油圧フィルター１の中心軸線Ｏ方向にスライド可能に設けられている。
【００１５】
本実施形態による油圧フィルター１ではロックリング４を上側に引き上げることでハウジング２からエレメント３を離脱させて引き出し、下方に押し込むことでハウジング２にエレメント３を装着して固定することができる。エレメント３の頂部３ａの中央にはセパレータプラグ５が取り付けられており、セパレータプラグ５に代えて目詰まりを検知するインジケータを取り付けて後述するフィルター部材１３の交換時期を知らせることができる。
【００１６】
図３及び図４に示す油圧フィルター１の縦断面図において、ハウジング２は略有底筒状であり、ハウジング２の内面２ｃは側面が略円筒状に形成されている。そして、ハウジング２におけるハウジング本体７のリング状の上端部７ａの内周面には図５の拡大図に示すように段部が形成され、その段部の内壁面には雌ねじが切られた雌ねじ部７ｂが形成されている。また、雌ねじ部７ｂには例えば断面略Ｌ字状をなすリング状のアダプタ９の雄ねじ部９ａが螺合されている。これらハウジング本体７とアダプタ９とでハウジング２を構成する。
【００１７】
アダプタ９はハウジング本体７とは別部品であり、ハウジング２の上端部７ａの段部の内壁面の雌ねじ部７ｂに螺合することによって一体に装着できる。アダプタ９の外周面には凹陥部１１が形成されている。凹陥部１１はアダプタ９の外周面に所定間隔、例えば等間隔で複数個配設することが好ましい。また、アダプタ９の内面上部には、エレメント３の挿入が容易なように全周に亘ってテーパ部９ｂが形成されている。ハウジング２のアダプタ９の内周面はエレメント３の挿入口を構成する。
また、図５において、上端部７ａの上面には、アダプタ９の外周側にエレメント３を装着する際に位置決めするための位置決め穴１０が形成されている。
【００１８】
エレメント３において、ロックリング４の内側にはソケット本体１２が形成され、その下端部には有底で略円筒状に形成されたフィルター部材１３が取り付けられている。また、ソケット本体１２の外周側の下部には、装着時にリング状のアダプタ９を嵌合させるための下に開口する凹部１４がリング状に形成されており、その内周側のソケット本体１２には液密用のＯリング１５が装着されている。
また、凹部１４の外周側に形成した略円筒状の外周部１６には水平方向に略円錐台形状の傾斜穴１７が内外面を貫通して形成され、この傾斜穴１７内にはアダプタ９の凹陥部１１に一部が嵌入可能な鋼球１８が設けられている。鋼球１８を収容する傾斜穴１７は内側の小径穴が鋼球１８の外径より小さく、鋼球１８が内側に飛び出して全体に凹陥部１１内に落下することはない。
【００１９】
しかも、鋼球１８の上部にはロックリング４との間でソケット本体１２の外周面に溝部１９が上下方向に形成され、この溝部１９内には例えばコイル状の押圧ばね２０が弾性部材として配設されている。
更に、鋼球１８の下側にはロックリング４の下方移動を阻止するストップリング２２が配設されている。そして、ロックリング４の内面には鋼球１８を押圧可能な断面台形状の突部４ａが外周部１６側に突出形成されている。押圧ばね２０が突部４ａを押圧することによってロックリング４をハウジング２方向に付勢し、ロックリング４は後述する進出位置で、ストップリング２２によってそれ以上のハウジング２方向の下方移動が阻止される。
【００２０】
そのため、ロックリング４は、エレメント３の外周面で下方にスライドした進出位置では、突部４ａが押圧ばね２０の付勢力で押されて鋼球１８を傾斜穴１７内に押し込んで一部が凹陥部１１内に入った状態で鋼球１８の背面に当接する。しかも、ロックリング４の突部４ａの先端面がストップリング２２に当接してそれ以上の下方移動が阻止される。この状態で、エレメント３は鋼球１８を介してハウジング２にロックされている。
また、ロックリング４は、エレメント３の外周面で上方にスライドした後退位置では、突部４ａが鋼球１８の上方に位置して押圧ばね２０を圧縮し、ロックリング４の突部４ａの下側部４ｂが鋼球１８の背面に位置して鋼球１８を傾斜穴１７内に保持する。この状態で、エレメント３はハウジング２にロックされておらず、エレメント３を取り出し可能である。なお、ハウジング２とエレメント３の間にはＯリング１５以外にも液密のためのＯリングが複数配設されている。
【００２１】
本実施形態では、アダプタ９の凹陥部１１を第一着脱部とし、エレメント３のソケット本体１２における少なくとも傾斜穴１７、鋼球１８、押圧ばね２０、ロックリング４の突部４ａを第二着脱部とする。この第二装着部は第一装着部である複数の凹陥部１１の周方向の配列に応じて対向する位置に複数組設置されている。
また、エレメント３において、図５に示すように、外周部１６の傾斜穴１７の下側端部には位置決めピン２４がばねによって進退可能に装着されており、ハウジング本体７の上端部に設けた位置決め穴１０に嵌合することで、エレメント３とハウジング２の周方向位置を位置決めできている。この状態で、上述した各第一着脱部と第二着脱部が対向する位置にあり、互いに嵌合できる。
【００２２】
本実施形態による油圧フィルター１は上述の構成を備えており、次に油圧フィルター１の着脱方法を説明する。油圧フィルター１のハウジング２にエレメント３を装着した状態では、図３及び図５に示すように、エレメント３の傾斜穴１７内の鋼球１８はハウジング２のアダプタ９の凹陥部１１内に一部が落ち込み、押圧ばね２０で押圧されたロックリング４の突部４ａに当接して鋼球１８が傾斜穴１７と凹陥部１１に嵌合して保持されている。
この状態で、ハウジング２の入口２ａから流入する作動油はハウジング２の内周面とフィルター部材１３との間の環状空間からフィルター部材１３内に流通する。そして、作動油のごみ等の不純物はフィルター部材１３でろ過されて捕捉され、清浄化された作動油は出口２ｂから排出され、再利用される。これら入口２ａからフィルター部材１３を介した出口２ｂまでの作動油の流路は油圧流路を構成する。
【００２３】
そして、不純物が付着してろ過能力の低下したフィルター部材１３を交換する場合や、エレメント３を掃除する必要がある等の場合には、エレメント３を取り外す。即ち、図４において、エレメント３のロックリング４を押圧ばね２０の付勢力に抗して上方にスライドさせる。すると、ロックリング４の突部４ａが鋼球１８から外れると共に、押圧ばね２０が溝部１９内で圧縮される。
そして、エレメント３をハウジング２から引き抜くと、エレメント３の鋼球１８はアダプタ９の凹陥部１１の傾斜面で押されて、凹陥部１１から傾斜穴１７内に引っ込む。これによって、鋼球１８とアダプタ９の係合が外れるために、エレメント３はハウジング２から分離できる。
【００２４】
そして、ハウジング２やエレメント３の清掃やエレメント３に取り付けたフィルター部材１３の交換等を行える。しかも、エレメント３の引き抜きに際して、作業者の手が油等で汚れることがない。
【００２５】
その後、フィルター部材１３を交換したエレメント３をハウジング２に装着するには、エレメント３の位置決めピン２４をハウジング２に形成した位置決め穴１０に対向させて位置決めし、エレメント３をアダプタ９の挿入口のテーパ部９ｂにガイドさせてハウジング２内に挿入する。その後、ロックリング４をハウジング２側に押し込むことで、突部４ａのテーパ面によって鋼球１８を押してアダプタ９内の凹陥部１１内に一部を落とし込み、突部４ａを鋼球１８の背面に当接させる。この状態で、ロックリング４は突部４ａの上側が押圧ばね２０の付勢力によって押され、下側がストップリング２２によって停止させられる。しかも、図３及び図５に示すように、凹陥部１１内に一部が落ち込んだ鋼球１８の背面に突部４ａが当接し、エレメント３はハウジング２に嵌合状態で固定され、装着が完了する。
【００２６】
上述のように本実施形態による油圧フィルター１によれば、ハウジング２に対してエレメント３を着脱するには、ロックリング４を上下にスライドさせてエレメント３を押し込むか引き抜くことで、１タッチで容易にエレメント３の着脱を行える。しかも、エレメント３のアダプタ９の上部にはテーパ部９ｂが形成されているため、挿脱をガイドして容易に着脱を行える。
また、ハウジング２におけるアダプタ９はハウジング本体７とは別部品であり、ハウジング本体７の内周面に雌ねじ７ｂを形成すれば、既製品のハウジング２でも第二着脱部を備えたエレメント３を１タッチで装着できるため、新品だけでなく既製品の油圧フィルター１にも本発明を適用できる。
【００２７】
なお、本発明による油圧フィルター１は上述の実施形態に限定されるものではなく、その要旨を逸脱しない範囲で種々の変更や置換等が可能であり、これらはいずれも本発明に含まれる。以下に本発明の変形例について説明するが、上述した油圧フィルター１の部品や部材と同一または同様な部品や部材には同一の符号を用いるものとする。
【００２８】
例えば、油圧フィルター１の第一着脱部及び第二着脱部として、凹陥部１１と傾斜穴１７内の鋼球１８との間で係合と離脱を切り替えるようにしたが、本発明はこのような構成に限定されるものではない。例えば、鋼球１８に代えて、係合凸部と係合凹部を着脱可能に取り付ける構成を採用してもよく、他の適宜の係脱構造の構成を第一着脱部及び第二着脱部に採用できる。
また、上述した実施形態では、ハウジング本体７に設けた雌ねじ７ｂにアダプタ９に設けた雄ねじ９ａを螺合させて一体化させることで、本発明による油圧フィルター１を既存のハウジング２にも適用可能な構成としたが、予めアダプタ９をハウジング本体７と一体に形成したハウジング２を用いてもよい。また、上述した実施形態において、油圧フィルター１のハウジング本体７とアダプタ９のいずれに雄ねじと雌ねじを形成してもよい。
【００２９】
また、位置決め穴１０と位置決めピン２４はハウジング２とエレメント３の当接面であれば適宜の位置に設置でき、ハウジング２とエレメント３のいずれの当接面に位置決め穴１０と位置決めピン２４を設けてもよい。
【符号の説明】
【００３０】
１  油圧フィルター
２  ハウジング
３  エレメント
４  ロックリング
４ａ  突部
７  ハウジング本体
７ｂ  雌ねじ部
９  アダプタ
９ａ  雄ねじ部
９ｂ  テーパ部
１１  凹陥部
１３  フィルター部材
１７  傾斜穴
１８  鋼球
２０  押圧ばね
２２  ストップリング
【図１】
2016089915.tif 000003
【図２】
2016089915.tif 000004
【図３】
2016089915.tif 000005
【図４】
2016089915.tif 000006
【図５】
2016089915.tif 000007